(57)【要約】【課題】化粧品等を収納するチューブ容器に装着でき、ノズルがある程度高くなっても確実に施蓋することが可能なワンタッチノズルキャップを提供する。【解決手段】ヒンジ部３にて揺動自在な蓋部４を設ける。この蓋部４にノズル２の先端外周に嵌合するリング状の嵌合部５を設ける。嵌合部５の内側に突起部６を突設する。ノズル２の先端開口部２Ａ内に突起部６を挿入して封止するように構成する。嵌合部５の一部に薄肉部７を形成する。施蓋時に嵌合部５と突起部６との間の空気を薄肉部７から排出するように構成する。【選択図】  図３
2020055597.tif 000002
【特許請求の範囲】
【請求項１】
チューブ容器の口部に連結する連結部と、該連結部から先端方向に突出するノズルと、連結部の側面に揺動自在に設けられたヒンジ部と、該ヒンジ部にて揺動自在に設けられノズルを施蓋する蓋部と、該蓋部の内側面に形成され施蓋時にノズルの先端外周に嵌合するリング状の嵌合部とを備えたワンタッチノズルキャップであって、嵌合部のリング内側に突設されノズルの先端開口部内に挿入して封止する突起部と、嵌合部の一部に形成されノズルの先端外周に非嵌合状態になる薄肉部とを備え、施蓋時に嵌合部と突起部との間の空気を薄肉部から排出するように構成したことを特徴とするワンタッチノズルキャップ。
【請求項２】
前記薄肉部は、前記ヒンジ部の位置から前記ノズルを介して前記ノズルの反対側の先端側面部に当る前記嵌合部の一部に形成された請求項１記載のワンタッチノズルキャップ。
【請求項３】
前記嵌合部が前記ノズルの先端外周に嵌合する前記ノズルの高さとして、前記ノズルの前記連結部側の基端部と前記ヒンジ部の揺動支点とが同一の水平線Ｘ上に位置し、且つ、該水平線Ｘが揺動支点を支点として上方に向けて２５°〜４５°の範囲で傾斜した仮想直線Ｙと、前記ノズルの前記先端側面部とが接する範囲の高さとした請求項２記載のワンタッチノズルキャップ。
【請求項４】
前記嵌合部が前記ノズルの先端外周に嵌合する前記ノズルの高さとして、前記ノズルの前記連結部側の基端部と前記ヒンジ部の揺動支点とが同一の水平線Ｘ上に位置し、且つ、前記ノズルの前記先端側面部から鉛直下方に延長した仮想直線Ｚと水平線Ｘとが交わる点を仮想交点Ｔとし、前記ヒンジ部の揺動支点から仮想交点Ｔまでの距離Ａと、仮想交点Ｔから先端側面部までの距離Ｂとの比率が１対０．５〜１対１の範囲内の高さとした請求項２記載のワンタッチノズルキャップ。
【発明の詳細な説明】
【技術分野】
【０００１】
本発明は、主に化粧品等を充填するチューブをはじめとするスクイズ可能な容器に装着可能で、容器との連結部に長いノズルを備えていても施蓋可能なワンタッチノズルキャップに関する。
【背景技術】
【０００２】
従来、スクイズ可能な容器に粘液物を充填しノズルから絞り出す容器が使用されている。この種の容器を施蓋するキャップには、スクリュータイプのキャップとワンタッチキャップなどが使用されている。
【０００３】
一般に、化粧品等を充填するチューブをはじめとするスクイズ可能な容器で、容器の先端に長いノズルを備えているものではスクリューキャップが使用されている。また、歯磨きや調味料等を充填する長いノズルを必要としないチューブ容器にはワンタッチキャップが使用されている。
【０００４】
化粧品は、香料等を有することから、この化粧品をチューブ容器に充填する場合、香料等が外に発散し、あるいは外気がチューブ容器に侵入し難いように、ノズルの開口部に嵌合する突起を備えたスクリュータイプのキャップが使用されている（特許文献１）。
【０００５】
また、化粧品を抽出する際に、一定量を滴状にして絞り出す場合がある。この場合、長くて細いノズルが使用される。このようなチューブ容器を施蓋するには、ノズルの先端に形成した小径の吐出孔に差し込んで止栓する止栓棒を備えたスクリュータイプのキャップが使用される（特許文献２）。
【０００６】
一方、歯磨きなどを充填するチューブ容器では、片手での使用が容易なワンタッチキャップが使用されている（特許文献３）。このキャップは、ヒンジに連結されて開口部をワンタッチで施蓋することができるもので、歯磨きや調味料等を充填したチューブ容器に多く使用されている。
【先行技術文献】
【特許文献】
【０００７】
【特許文献１】特開平１１−１１５０１号公報
【特許文献２】特表２０１７−５０４３７９号公報
【特許文献３】特開２０１１−８４２８８号公報
【発明の概要】
【発明が解決しようとする課題】
【０００８】
スクリュータイプのキャップはキャップの開閉に両手を使用する必要があり、ワンタッチキャップは片手での使用が可能である。そこで、化粧品等を収納するチューブ容器にもワンタッチキャップを使用すると、化粧品の使用も片手で行えるようになる。
【０００９】
ところが、化粧品を充填したチューブ容器のノズルには、このノズルの先端に挿入して密封力を高める突起が必要になっている。そのため、ワンタッチキャップにこの突起を設けると、キャップが確実に閉まらなくなるおそれがあった。
【００１０】
すなわち、ワンタッチキャップは、開口部の外周部に嵌合するリング状の嵌合部を備えており、この嵌合部でキャップを密封する構造である。そのため、この嵌合部の内側に、開口部の密封力を高める突起を設けて開口部に挿入するように構成した場合、嵌合部と突起との間に空気や内容物が残ることになる。そうすると、これらの空気や内容物がクッションになって嵌合部が閉まらなくなる現象が生じるものである。
【００１１】
しかも、ワンタッチキャップは、開口部の側面側から揺動して開口部先端を施蓋する構成なので、開口部分がノズル状に伸びて高くなり開口部先端の位置がキャップの揺動位置から離れるほど開口部先端を確実に施蓋することが困難になることが知られている。そのため、化粧品等を収納するチューブ容器のように、高いノズルを有するチューブ容器にワンタッチキャップを使用することは極めて困難であった。
【００１２】
そこで本発明は、上述の課題を解消すべく創出されたもので、ワンタッチキャップのごとくノズル口に上蓋が被さる構造において、最小限の工夫で見た目を損なわず、化粧品キャップ等としての質感を保ち、しかも、ノズルがある程度高くなっても確実に施蓋することが可能なワンタッチノズルキャップの提供を目的とするものである。
【課題を解決するための手段】
【００１３】
上述の課題を解決すべく本発明の第１の手段は、ヒンジの支点移動や目立った部分の変更はせずに、チューブ容器Ｐの口部Ｐ１に連結する連結部１と、該連結部１から先端方向に突出するノズル２と、連結部１の側面に揺動自在に設けられたヒンジ部３と、該ヒンジ部３にて揺動自在に設けられノズル２を施蓋する蓋部４と、該蓋部４の内側面に形成され施蓋時にノズル２の先端外周に嵌合するリング状の嵌合部５とを備えたワンタッチノズルキャップであって、嵌合部５のリング内側に突設されノズル２の先端開口部２Ａ内に挿入して封止する突起部６と、嵌合部５の一部に形成されノズル２の先端外周に非嵌合状態になる薄肉部７とを備え、施蓋時に嵌合部５と突起部６との間の空気を薄肉部７から排出するように構成したことにある。
【００１４】
第２の手段において、前記薄肉部７は、前記ヒンジ部３の位置から前記ノズル２を介して前記ノズル２の反対側の先端側面部Ｓに当る前記嵌合部５の一部に形成されたものである。
【００１５】
第３の手段は、前記嵌合部５が前記ノズル２の先端外周に嵌合する前記ノズル２の高さとして、前記ノズル２の前記連結部１側の基端部と前記ヒンジ部３の揺動支点３Ａとが同一の水平線Ｘ上に位置し、且つ、該水平線Ｘが揺動支点３Ａを支点として上方に向けて２５°〜４５°の範囲で傾斜した仮想直線Ｙと、前記ノズル２の前記先端側面部Ｓとが接する範囲の高さとするものである。
【００１６】
第４の手段は、前記嵌合部５が前記ノズル２の先端外周に嵌合する前記ノズル２の高さとして、
前記ノズル２の前記連結部１側の基端部と前記ヒンジ部３の揺動支点３Ａとが同一の水平線Ｘ上に位置し、且つ、前記ノズル２の前記先端側面部Ｓから鉛直下方に延長した仮想直線Ｚと水平線Ｘとが交わる点を仮想交点Ｔとし、前記ヒンジ部３の揺動支点３Ａから仮想交点Ｔまでの距離Ａと、仮想交点Ｔから先端側面部Ｓまでの距離Ｂとの比率が１対０．５〜１対１の範囲内の高さとするものである。
【発明の効果】
【００１７】
本発明の請求項１のごとく、嵌合部５のリング内側に突設されノズル２の先端開口部２Ａ内に挿入して封止する突起部６と、嵌合部５の一部に形成されノズル２の先端外周に非嵌合状態になる薄肉部７とを備え、施蓋時に嵌合部５と突起部６との間の空気を薄肉部７から排出するように構成したことにより、ノズル２の先端開口部２Ａを突起部６で密封しながら嵌合部５の嵌合を確実にすることができる。この結果、ワンタッチキャップのごとくノズル口に上蓋が被さる構造において、これまで化粧品等を収納するチューブ容器にも、ワンタッチキャップのごとくノズル口に上蓋が被さる構造を採用することができ、片手での使用が可能になった。しかも、最小限の工夫で見た目を損なわず、化粧品キャップ等としての質感を保つことができる。
【００１８】
請求項２のように、薄肉部７は、ヒンジ部３の位置からノズル２を介してノズル２の反対側の先端側面部Ｓに当る嵌合部５の一部に形成されることから、比較的ノズル２が高く形成された場合でも、ノズル２の先端周囲に嵌合部５を確実に嵌合させることに成功した。したがって、化粧品等を収納するチューブ容器のノズル２の高さを変更せずに使用することも可能になる。
【００１９】
請求項３のごとく、ノズル２の高さとして、ノズル２の連結部１側の基端部とヒンジ部３の揺動支点３Ａとが同一の水平線Ｘ上に位置し、且つ、該水平線Ｘが揺動支点３Ａを支点として上方に向けて２５°〜４５°の範囲で傾斜した仮想直線Ｙと、ノズル２の先端側面部Ｓとが接する範囲の高さとすることで、ノズル２の先端周囲に嵌合部５を確実に嵌合させることができる。
【００２０】
請求項４のように、ノズル２の高さとして、ノズル２の連結部１側の基端部とヒンジ部３の揺動支点３Ａとが同一の水平線Ｘ上に位置し、且つ、ノズル２の先端側面部Ｓから鉛直下方に延長した仮想直線Ｚと水平線Ｘとが交わる点を仮想交点Ｔとし、ヒンジ部３の揺動支点３Ａから仮想交点Ｔまでの距離Ａと、仮想交点Ｔから先端側面部Ｓまでの距離Ｂとの比率が１対０．５〜１対１の範囲内の高さとすることで、ノズル２の先端周囲に嵌合部５を確実に嵌合させることができる。
【００２１】
このように、本発明によると、化粧品等を収納するチューブ容器に装着でき、しかも、ある程度高いノズルでも確実に施蓋することが可能になどといった産業上有益な種々の効果を奏するものである。
【図面の簡単な説明】
【００２２】
【図１】本発明の一実施例で蓋部を開いた状態の斜視図である。
【図２】図１の状態を示す側断面図である。
【図３】嵌合部をノズル先端に嵌合した状態を示し、（イ）は本発明の嵌合部、（ロ）は従来の嵌合部である。
【図４】嵌合部をノズル先端に嵌合する状態を示し、（イ）は本発明の嵌合部、（ロ）は従来の嵌合部である。
【図５】（イ）乃至（ニ）は、本発明の嵌合部が高さの異なるノズルに適応する状態を示す側断面図である。
【図６】（イ）乃至（ニ）は、従来の嵌合部が高さの異なるノズルに干渉する状態を示す側断面図である。
【図７】（イ）乃至（ニ）は、本発明の嵌合部が高さの異なるノズルに適応する状態を示す側断面図である。
【図８】（イ）乃至（ニ）は、従来の嵌合部が高さの異なるノズルに干渉する状態を示す側断面図である。
【発明を実施するための形態】
【００２３】
以下、本発明の実施の形態を説明する。本発明キャップは、特に化粧品等を充填するチューブ容器に使用可能なワンタッチノズルキャップに関するものである。
【００２４】
すなわちこのワンタッチノズルキャップとは、チューブ容器Ｐの口部Ｐ１に連結する連結部１と、該連結部１から先端方向に突出するノズル２と、連結部１の側面に揺動自在に設けられたヒンジ部３と、該ヒンジ部３にて揺動自在に設けられた蓋部４と、該蓋部４の内側面に形成されノズル２の先端外周に嵌合するリング状の嵌合部５とを備えたキャップである（図１、図２参照）。また、本発明でチューブ容器とは、スクイズ可能な容器全般を指し、チューブの他、スクイズ性のあるボトルなども含む容器とするものである。
【００２５】
本発明の主要構成は、このワンタッチノズルキャップに、突起部６と薄肉部７とを設けたものである（図１、図２参照）。
【００２６】
突起部６は、リング状を成した嵌合部５のリングの内側に突設された部位である（図１参照）。そして、施蓋時に、ノズル２の先端開口部２Ａ内に、この突起部６を挿入して封止する（図３（イ）参照）。図示の突起部６は、ノズル２の先端開口部２Ａ内の開口端部に近い部分に挿入する短い突起部６が形成されている。
【００２７】
この突起部６を長くしてしまうと、ヒンジ部３を介して蓋部４を揺動させたときに、突起部６の先端がノズル２の先端外周に接触する虞がある。図示では、この突起部６の挿入を容易にするため、ノズル２の先端開口部２Ａの内側面に沿って、略すり鉢状のテーパー２Ｂを形成している（図２参照）。
【００２８】
薄肉部７は、ノズル２の先端外周に嵌合されない部位であり、リング状を成した嵌合部５の一部を薄肉状に形成した部位である（図１参照）。この嵌合部５は、ノズル２の先端外周を囲んで密封する構成であるが、この薄肉部７は、ノズル２の先端外周に非嵌合状態、すなわちノズル２の先端外周に嵌合しない部分となる。
【００２９】
この結果、ノズル２の先端部側面と薄肉部７との間は密封力が低下しているので、この薄肉部７から空気を排出することが可能になる（図３（イ）参照）。薄肉部７から排出される空気は、施蓋時に嵌合部５と突起部６との間に溜まる空気である。
【００３０】
すなわち、蓋部４に設けたリング状の嵌合部５と突起部６とでノズル２を施蓋するには、ノズル２の先端開口部２Ａに挿入した突起部６と、ノズル２の先端外周に嵌合する嵌合部５との間に間隙が生じている（図３（ロ）参照）。そして、施蓋時にこの間隙に空気や内容物が残留物１０として残ることがある。この残留物１０はリング状を成した嵌合部５からは排出されずにクッション材となり、蓋部４の確実な施蓋を妨害して蓋部４と連結部１とに間隙２０が生じることになる。
【００３１】
そこで、薄肉部７からこの空気を排出することで、嵌合部５の嵌合を確実にすることができる（図３（イ）参照）。図示の薄肉部７は、ヒンジ部３の位置からノズル２を介してノズル２の反対側の先端側面部Ｓに当る嵌合部５の一部に形成されたものである。更に図示例では、この先端側面部Ｓの他にも薄肉部７を形成して空気の排出量を多くしている（図１参照）。
【００３２】
このように、嵌合部５に複数の薄肉部７を形成しても、嵌合部５をノズル２の先端外周に嵌合させることは可能である。しかも、嵌合部５と同時に突起部６が口部Ｐ１を密封するので、施蓋時の高い密封力を維持している。
【００３３】
更に、ノズル２の先端側面部Ｓに当る嵌合部５の一部に薄肉部７を形成すると、ノズル２を高く形成した場合でも施蓋が可能になる（図４（イ）参照）。すなわち、従来のリング状の嵌合部５では、この先端側面部Ｓに嵌合部５が当るため、正常な施蓋ができなくなる（図４（ロ）参照）。そこで、このノズル２の先端側面部Ｓに当る嵌合部５の一部に薄肉部７を形成すると、先端側面部Ｓが嵌合部５に干渉しなくなり、正常な施蓋が可能になるものである（図４（イ）参照）。
【００３４】
このように、嵌合部５がノズル２の先端外周に嵌合可能になるノズル２の高さとして、次の条件を満たす範囲の高さが実験で明らかになっている。
【００３５】
すなわち、ノズル２の連結部１側の基端部とヒンジ部３の揺動支点３Ａとが同一の水平線Ｘ上に位置する状態とする（図５参照）。更に、この水平線Ｘが揺動支点３Ａを支点として上方に向けて傾斜させたと想定する。そして、この水平線Ｘと仮想直線Ｙとの傾斜角が２５°〜４５°の範囲にあるときに、傾斜した仮想直線Ｙと、前記ノズル２の前記先端側面部Ｓとが接する範囲の高さまで嵌合可能になることが分かった。尚、図示の基本設計として、ノズル２の位置は、口部Ｐ１の中心から先端側面部Ｓ方向に蓋部４の外径の８％ずれているものとする。
【００３６】
図５中、（イ）は傾斜角が２５°である。この場合、本発明の薄肉部７を設けた嵌合部５では、嵌合部５が先端側面部Ｓに干渉することなくスムーズな施蓋ができた。一方、傾斜角が２５°で従来のリング状の嵌合部５を使用すると、嵌合部５が先端側面部Ｓに若干干渉した（図６（イ）参照）。従来の嵌合部５では、この状態から無理に嵌合させることは可能でも、嵌合部５やノズル２先端に負担が加わるので、施蓋操作を繰り返すと嵌合部５やノズル２の先端に変形が生じるおそれがある。
【００３７】
図５中、（ロ）〜（ニ）は、夫々順に傾斜角が３０°、４０°、４５°に設定されており、傾斜角が強くなるほどノズル２が高くなる。これらの場合、本発明の薄肉部７を設けた嵌合部５では、全ての先端側面部Ｓに干渉せずに施蓋することができた。一方、従来のリング状の嵌合部５を使用すると、これら全ての場合で、嵌合部５が先端側面部Ｓに干渉し、施蓋はできなかった（図６（ロ）〜（ニ）参照）。
【００３８】
このように、高さのあるノズル２には、これまでスクリュータイプのキャップでなければ施蓋できなかったが、本発明によると、これらの高さのノズル２を有するチューブ容器Ｐにもワンタッチノズルキャップの使用が可能になった。
【００３９】
ノズル２の高さを特定する条件を次のように変更することも可能である。すなわち、ノズル２の連結部１側の基端部とヒンジ部３の揺動支点３Ａとが同一の水平線Ｘ上に位置する状態とする（図７参照）。更に、ノズル２の先端側面部Ｓから鉛直下方に延長した仮想直線Ｚと水平線Ｘとが交わる点を仮想交点Ｔとする。そして、ヒンジ部３の揺動支点３Ａから仮想交点Ｔまでの距離Ａと、仮想交点Ｔから先端側面部Ｓまでの距離Ｂとの比率が１対０．５〜１対１の範囲にあるときの高さまで嵌合可能になることが分かった。
【００４０】
図７中、（イ）の距離Ａ対距離Ｂとの比率は、１：０．５である。この場合、本発明の薄肉部７を設けた嵌合部５では、嵌合部５が先端側面部Ｓに干渉することなくスムーズな施蓋ができた。一方、同じ比率の高さで従来のリング状の嵌合部５を使用すると、嵌合部５が先端側面部Ｓに若干干渉することが分かった（図８（イ）参照）。従来の嵌合部５では、この状態から無理に嵌合させることは可能でも、嵌合部５やノズル２先端に負担が加わるので、施蓋操作を繰り返すと嵌合部５やノズル２の先端に変形が生じるおそれがある。
【００４１】
図７中、（ロ）〜（ニ）は、距離Ａ対距離Ｂとの比率は夫々順に、１：０．５と、１：０．７と、１：０．９と、１：１との比率の高さである。これらの場合、本発明の薄肉部７を設けた嵌合部５では、全ての先端側面部Ｓに干渉せずに施蓋することができた。一方、従来のリング状の嵌合部５を使用すると、これら全ての比率の場合で、嵌合部５が先端側面部Ｓに干渉し、施蓋はできなかった（図８（ロ）〜（ニ）参照）。
【００４２】
尚、本発明の構成は図示例に限定されるものではなく、嵌合部５や突起部６、薄肉部７等の各構成は、本発明の主旨を変更しない範囲で任意に変更することができる。
【符号の説明】
【００４３】
Ｐ  チューブ容器
Ｐ１  口部
Ｓ  先端側面部
１  連結部
２  ノズル
３  ヒンジ部
３Ａ  揺動支点
４  蓋部
５  嵌合部
６  突起部
７  非嵌合部
１０  残留物
２０  間隙
Ｘ  水平線
Ｙ  仮想直線
Ｚ  仮想直線
Ｔ  仮想交点
【図１】
2020055597.tif 000003
【図２】
2020055597.tif 000004
【図３】
2020055597.tif 000005
【図４】
2020055597.tif 000006
【図５】
2020055597.tif 000007
【図６】
2020055597.tif 000008
【図７】
2020055597.tif 000009
【図８】
2020055597.tif 000010